(57)【要約】      （修正有）【課題】押離鍵時の鍵の円滑な動作を確保する鍵盤装置を提供する。または、鍵及び鍵ガイドの摺動による摩擦音を抑制する鍵盤装置を提供する。【解決手段】鍵盤フレーム１００と、鍵盤フレーム１００の一部を支点として、鍵盤フレーム１００に搖動自在に接続された鍵１１０と、鍵盤フレーム１００に固定され、鍵１１０の動作を制御する鍵ガイド１２０と、鍵１１０及び鍵ガイド１２０の一方と摺動する接触部材１３０と、鍵１１０及び鍵ガイド１２０の他方と接触部材１３０とに挟持され、接触部材１３０を鍵１１０及び鍵ガイド１２０の一方に押しつける弾性部材１４０と、を有する。【選択図】図２
2016114677.tif 000002
【特許請求の範囲】
【請求項１】
鍵盤フレームと、
前記鍵盤フレームに搖動自在に接続された鍵と、
前記鍵盤フレームに固定され、前記鍵の移動を規制する鍵ガイドと、
前記鍵と前記鍵ガイドとの間に位置する摺動可能な摺動面に対して、前記鍵の移動の際に摺動可能に接する接触部材と、
前記鍵と前記鍵ガイドとの間に配置され、前記接触部材よりも低い弾性力によって前記摺動面に前記接触部材を押しつける弾性部材と、を有することを特徴とする鍵盤装置。
【請求項２】
鍵盤フレームと、
前記鍵盤フレームに搖動自在に接続された鍵と、
前記鍵盤フレームに固定され、前記鍵の移動を規制する鍵ガイドと、
前記鍵と前記鍵ガイドとの間に位置する摺動可能な摺動面に対して、前記鍵の移動の際に摺動可能に接する接触部材と、を有し、
前記鍵ガイドは、前記鍵ガイドの一部が弾性変形して前記鍵の内部に挿入されていることを特徴とする鍵盤装置。
【請求項３】
前記摺動面は、前記鍵と前記接触部材との間又は前記鍵ガイドと前記接触部材との間に位置することを特徴とする請求項１又は２に記載の鍵盤装置。
【請求項４】
鍵盤フレームに対して搖動可能に鍵を支持する手段と、
前記鍵の移動を規制する手段と、
前記鍵と前記鍵の移動を規制する手段との間に位置する摺動可能な摺動面に対して、前記鍵の移動の際に接触部材によって摺動可能に接する手段と、
前記鍵と前記鍵の移動を規制する手段との間に配置され、前記接触部材よりも低い弾性力によって前記摺動面に前記接触部材を押しつける手段と、
を有することを特徴とする鍵盤装置。
【発明の詳細な説明】
【技術分野】
【０００１】
本発明は、鍵盤装置に関する。特に、鍵と鍵の動作を制御する鍵ガイドとの間に設けられる部材構造に関する。
【背景技術】
【０００２】
従来、ピアノを代表とする鍵盤装置では、演奏時の押鍵による鍵の横ブレや捻じれを抑制するために、鍵の移動を所定範囲に規制し、鍵と摺動可能に接する鍵ガイドが配置されている。ここで、鍵及び鍵ガイドの摺動を円滑にし、摺動による摩擦音を抑制するために、多くの鍵盤装置では鍵と鍵ガイドとの間にグリスが塗られている。
【０００３】
しかし、鍵と鍵ガイドとの間にグリスが塗られた鍵盤装置では、グリスが落ちてしまうと押離鍵時の円滑性が失われ、また、摺動による摩擦音が発生してしまうため、定期的なメンテナンスが必要であった。特に、調律を必要とせず、メンテナンスフリーを特徴とする電子ピアノなどの鍵盤装置でも、グリスの塗り直しのためにメンテナンスが必要になってしまう。上記の問題を解消するために、例えば特許文献１では、鍵の横ブレや捻じれを抑制すると共に、演奏時の押鍵による鍵の円滑な動作を確保し、鍵及び鍵ガイドの摺動による摩擦音を抑制するために、鍵ガイドの周囲に耐油性樹脂材からなる不織布が貼り付けられた構造の鍵盤装置が開発されている。特許文献１に記載された鍵盤装置によると、鍵ガイドの周囲に貼り付けられた不織布及び鍵が摺動するため、従来の鍵盤装置のようにグリスが落ちてしまう問題は発生しない。したがって、長い期間及び多い回数使用しても、鍵の円滑な動作を確保することができ、また、摩擦音の発生も抑制することができる。
【先行技術文献】
【特許文献】
【０００４】
【特許文献１】実用新案登録第２５８３２３５号公報
【発明の概要】
【発明が解決しようとする課題】
【０００５】
しかしながら、特許文献１に記載された鍵盤装置においても、鍵と鍵ガイドとの間に設けられた不織布だけでは、鍵及び鍵ガイドの寸法ばらつきに起因する問題を十分に解消することができなかった。より具体的には、特許文献１に記載された鍵盤装置では、鍵と鍵ガイドとの間隔が広く鍵の横ブレや捻じれを抑制する効果が低くなってしまう問題や、逆に鍵と鍵ガイドとの間隔が狭く押鍵による鍵の動作が固くなってしまう問題を十分に解消することはできず、鍵タッチの均一化が十分に得ることができなかった。
【０００６】
本発明は、そのような課題に鑑みてなされたものであり、押離鍵時の鍵の円滑な動作を確保する鍵盤装置を提供することを目的とする。または、鍵及び鍵ガイドの摺動による摩擦音を抑制する鍵盤装置を提供することを目的とする。
【課題を解決するための手段】
【０００７】
本発明の一実施形態による鍵盤装置は、鍵盤フレームと、鍵盤フレームに搖動自在に接続された鍵と、鍵盤フレームに固定され、鍵の移動を規制する鍵ガイドと、鍵と鍵ガイドとの間に位置する摺動可能な摺動面に対して、鍵の移動の際に摺動可能に接する接触部材と、鍵と鍵ガイドとの間に配置され、接触部材よりも低い弾性力によって摺動面に接触部材を押しつける弾性部材と、を有する。
【０００８】
本発明の他の実施形態による鍵盤装置は、鍵盤フレームと、鍵盤フレームに搖動自在に接続された鍵と、鍵盤フレームに固定され、鍵の移動を規制する鍵ガイドと、鍵と鍵ガイドとの間に位置する摺動可能な摺動面に対して、鍵の移動の際に摺動可能に接する接触部材と、を有し、鍵ガイドは、鍵ガイドの一部が弾性変形して鍵の内部に挿入されている。
【０００９】
本発明の他の実施形態による鍵盤装置は、鍵盤フレームに対して搖動可能に鍵を支持する手段と、鍵の移動を規制する手段と、鍵と鍵の移動を規制する手段との間に位置する摺動可能な摺動面に対して、鍵の移動の際に接触部材によって摺動可能に接する手段と、鍵と鍵の移動を規制する手段との間に配置され、接触部材よりも低い弾性力によって摺動面に接触部材を押しつける手段と、を有する。
【発明の効果】
【００１０】
本発明に係る鍵盤装置によれば、押離鍵時の鍵の円滑な動作を確保する鍵盤装置を提供することができる。または、鍵及び鍵ガイドの摺動による摩擦音を抑制する鍵盤装置を提供することができる。
【図面の簡単な説明】
【００１１】
【図１】本発明の実施形態１に係る鍵盤装置の全体構成を示す側面図である。
【図２】本発明の実施形態１に係る鍵盤装置の鍵及び鍵ガイドの摺動部の拡大側面図、及びＡ−Ａ’断面図である。
【図３】本発明の実施形態１の変形例１に係る鍵盤装置の鍵及び鍵ガイドの摺動部の拡大側面図、及びＡ−Ａ’断面図である。
【図４】本発明の実施形態１の変形例２に係る鍵盤装置の鍵及び鍵ガイドの摺動部の拡大側面図、及びＡ−Ａ’断面図である。
【図５】本発明の実施形態１の変形例３に係る鍵盤装置の鍵及び鍵ガイドの摺動部の拡大側面図、並びにＡ−Ａ’断面図及びＢ−Ｂ’断面図である。
【図６】本発明の実施形態１の変形例４に係る鍵盤装置の鍵及び鍵ガイドの摺動部の拡大側面図、並びにＡ−Ａ’断面図及びＢ−Ｂ’断面図である。
【図７】本発明の実施形態１の変形例５に係る鍵盤装置の鍵及び鍵ガイドの摺動部の拡大側面図、並びにＡ−Ａ’断面図及びＢ−Ｂ’断面図である。
【図８】本発明の実施形態１の変形例６に係る鍵盤装置の鍵及び鍵ガイドの摺動部の拡大側面図、並びにＡ−Ａ’断面図及びＢ−Ｂ’断面図である。
【図９】本発明の実施形態１の変形例７に係る鍵盤装置の鍵及び鍵ガイドの摺動部の拡大側面図、並びにＡ−Ａ’断面図及びＢ−Ｂ’断面図である。
【図１０】本発明の実施形態２に係る鍵盤装置の鍵及び鍵ガイドの摺動部の拡大側面図、並びにＡ−Ａ’断面図及びＢ−Ｂ’断面図である。
【図１１】本発明の実施形態２の変形例１に係る鍵盤装置の鍵及び鍵ガイドの摺動部の拡大側面図、並びにＡ−Ａ’断面図及びＢ−Ｂ’断面図である。
【図１２】本発明の実施形態２の変形例２に係る鍵盤装置の鍵及び鍵ガイドの摺動部の拡大側面図、並びにＡ−Ａ’断面図及びＢ−Ｂ’断面図である。
【図１３】本発明の実施形態２の変形例３に係る鍵盤装置の鍵及び鍵ガイドの摺動部の拡大側面図、並びにＡ−Ａ’断面図及びＢ−Ｂ’断面図である。
【図１４】本発明の実施形態３に係る鍵盤装置の鍵及び鍵ガイドの摺動部の拡大側面図、並びにＡ−Ａ’断面図及びＢ−Ｂ’断面図である。
【図１５】本発明の実施形態３の変形例１に係る鍵盤装置の鍵及び鍵ガイドの摺動部の拡大側面図、並びにＡ−Ａ’断面図及びＢ−Ｂ’断面図である。
【発明を実施するための形態】
【００１２】
以下、図面を参照して本発明に係る鍵盤装置について説明する。但し、本発明の鍵盤装置は多くの異なる態様で実施することが可能であり、以下に示す実施の形態の記載内容に限定して解釈されるものではない。なお、本実施の形態で参照する図面において、同一部分または同様な機能を有する部分には同一の符号を付し、その繰り返しの説明は省略する。また、本発明の鍵盤装置は電子ピアノに限定されず、アップライトピアノやグランドピアノなどのアコースティックピアノに適用することができる。また、本実施の形態の説明では、いずれも電子ピアノの白鍵の構造について説明するが、もちろん黒鍵に適用することもできる。
【００１３】
〈実施形態１〉
図１及び図２を用いて、本発明の実施形態１に係る鍵盤装置の概要を説明する。図１及び図２では、鍵盤装置の一例として、電子ピアノに用いられる鍵について説明する。  
【００１４】
［鍵盤装置１０の構成］
図１は、本発明の実施形態１に係る鍵盤装置の全体構成を示す側面図である。図１に示すように、本発明の実施形態１に係る鍵盤装置１０は、鍵盤フレーム１００と、鍵盤フレーム１００の一部（鍵支持部１０１の軸１０２）を支点として、鍵盤フレーム１００に搖動自在に接続された鍵１１０と、鍵盤フレーム１００に固定され、鍵１１０の移動を所定範囲に規制する鍵ガイド１２０と、を有する。
【００１５】
鍵盤フレーム１００は、図１の紙面奥行き方向（鍵配列方向）に延在しており、金属製であってもよく樹脂製であってもよい。鍵盤フレーム１００は、鍵盤フレーム１００の上面から上方へ突出する鍵支持部１０１を有している。鍵支持部１０１は、互いに対向する２枚の板状の部材を有しており、各々の板状の部材の内側に軸１０２が挟持されている。軸１０２は鍵１１０に設けられた貫通孔に嵌合して（嵌り合って）いる。この構成によって、鍵１１０は軸１０２を中心に回転移動可能に鍵盤フレーム１００に接続されており、演奏者が操作することに応じて鍵１１０の回転移動によって鍵１１０の前端部１１１が上下方向に搖動する。図１において、レスト位置を実線で示し、エンド位置を二点鎖線で示す。ここで、本発明に係る鍵盤装置は、鍵１１０が鍵盤フレーム１００に回転移動可能に接続された構造に限定されず、例えば、鍵盤フレーム１００及び鍵１１０が一体形成されており、鍵１１０の弾性変形によって鍵１１０の前端部１１１が搖動する構造であってもよい。また、鍵１１０及び鍵支持部１０１が一体形成されていてもよい。
【００１６】
鍵１１０は、鍵１１０の中間部から下方に向かって延在する駆動部１１２を有する。駆動部１１２の下端部には、駆動部１１２とハンマー１５０の脚部１５１との間に挟持された当接部１１３が設けられている。図１では、当接部１１３は駆動部１１２に固定されている。ここで、当接部１１３は衝撃を緩和する部材を用いることができ、例えば、ゴム、ウレタン、フェルト等の材料を用いることができる。また、当接部１１３は、駆動部１１２又はハンマー１５０に嵌め込まれて固定されていてもよい。なお、鍵１１０の材料としては、押離鍵時の横ブレや捻じれを抑制するために一定の剛性を有する材料を使用することができ、樹脂製、金属製、木製の材料を用いることができる。また、鍵１１０の一部（特に鍵ガイド１２０と対向する領域の鍵１１０）に弾性変形する材料を用いてもよい。
【００１７】
鍵ガイド１２０は、鍵盤フレーム１００の前端部に鍵配列方向に延在するように設けられたレール１２１の上面から上方へ突出するように設けられている。図１に示すように、鍵ガイド１２０は、鍵１１０の下方から鍵１１０の内部に挿入され、図２に示す接触部材１３０及び弾性部材１４０を介して、押離鍵時に鍵１１０の内側面と摺動する。以下、部材同士が摺動可能に接触する箇所を「摺動面」といい、摺動面を挟持する鍵１１０及び鍵ガイド１２０を含む構造を「摺動部」という。上記のように、鍵ガイド１２０によって、押離鍵時の鍵１１０の横ブレや捻じれが抑制される。つまり、鍵ガイド１２０は鍵１１０の搖動をガイドし、鍵１１０の移動を所定の範囲に規制する。鍵１１０及び鍵ガイド１２０の構造については、後で詳細に説明する。ここで、図１では、鍵ガイド１２０がレール１２１の上面に設けられた構造を例示したが、この構造に限定されず、鍵ガイド１２０は鍵盤フレーム１００に直接設けられていてもよい。
【００１８】
ここで、白鍵及び黒鍵の両方の鍵ガイドが共通するレール１２１に固定されていてもよく、白鍵の鍵ガイドと黒鍵の鍵ガイドとがそれぞれ異なるレール１２１に固定されていてもよい。また、白鍵、黒鍵、又はそれら両方の鍵ガイドがそれぞれレール１２１に固定される場合、各々の場合で全ての音域の鍵ガイドが共通するレール１２１に固定されていてもよく、１オクターブ毎に鍵ガイドが共通するレール１２１に固定されていてもよい。なお、鍵ガイド１２０の材料としては、鍵１１０の移動を規制するために一定の剛性を有する材料を使用することができ、樹脂製、金属製、木製の材料を用いることができる。また、鍵ガイド１２０の一部（特に鍵１１０と対向する領域の鍵ガイド１２０）に弾性変形する材料を用いてもよい。
【００１９】
ハンマー１５０は、ハンマー基部１５２、連結棒１５３、及び質量体１５４を有し、ハンマー支持部１０３に設けられた軸１０４を中心に回転移動可能に鍵盤フレーム１００に接続されている。鍵１１０と同様に、ハンマー１５０のレスト位置を実線で示し、エンド位置を二点鎖線で示す。質量体１５４の搖動範囲の上下位置にはそれぞれ衝撃緩和部材１５７及び１５８を介して上限ストッパ１５５及び下限ストッパ１５６が設けられている。また、鍵１１０の下方には、鍵１１０の押離鍵状態を検出するスイッチ１６０が設けられている。スイッチ１６０は各々の鍵１１０に設けられており、各々の鍵１１０の搖動に伴って押圧される程度を検出することで、鍵１１０の押離鍵状態を検出する。スイッチ１６０は基板１６１の上面に設けられており、基板１６１はボス１６２を介してネジによって鍵盤フレーム１００に固定されている。
【００２０】
図２は、本発明の実施形態１に係る鍵盤装置の鍵及び鍵ガイドの摺動部の拡大側面図（ａ）、及びＡ−Ａ’断面図（ｂ）である。図２に示すように、本発明の実施形態１に係る鍵盤装置１０は、鍵１１０と鍵ガイド１２０との間に位置する摺動可能な摺動面１３３に対して、鍵１１０の移動の際に摺動可能に接する接触部材１３０と、鍵１１０と鍵ガイド１２０との間に配置され、接触部材１３０よりも低い弾性力によって摺動面１３３に接触部材１３０を押しつける弾性部材１４０と、を有する。図２では、接触部材１３０は鍵１１０と摺動可能に接しており、弾性部材１４０は鍵ガイド１２０に固定され、鍵ガイド１２０が鍵盤フレーム１００に固定された構造について例示する。つまり、摺動面１３３は、鍵１１０と接触部材１３０との間に位置する。また、図２（ｂ）では、図２（ａ）におけるＡ−Ａ’断面図において、離鍵時の状態（左側）と押鍵時の状態（右側）とを示す。
【００２１】
接触部材１３０は、鍵１１０の長手方向を軸に左右対称に配置されている。また、図２では、押離鍵時において、接触部材１３０及び鍵１１０の接触面積が一定になるように接触部材１３０が配置されている。つまり、押離鍵時において、摺動面１３３の面積は同じである。換言すると、離鍵時において、接触部材１３０の端部は鍵１１０の開口端部１１４よりも内側に接触するように配置されている。これにより、押離鍵の過程において、その位置変化によらず接触面積が変化しないため、押鍵深さに応じて抵抗力が変化しない。ただし、押離鍵時において、摺動面１３３の面積が同じでなくてもよい。つまり、離鍵時において、接触部材１３０の端部が鍵１１０の開口端部１１４よりも鍵盤フレーム１００に至るまで延在していてもよい。この場合、鍵１１０の開口端部１１４は曲面を有する形状（Ｒ面形状）、又は傾斜面を有する形状（Ｃ面形状）を有していてもよい。
【００２２】
また、接触部材１３０としては、耐油性の不織布を用いることができる。接触部材１３０に用いる耐油性の不織布としては、例えばポリエステル樹脂、ポリアミド樹脂、ポリ四弗化エチレンＰＴＦＥ、四弗化エチレン・六弗化プロピレン共重合体ＰＴＦＥ、パーフルオロアルコキシ・弗化樹脂ＰＦＡ、エチレン四弗化エチレン共重合体ＥＴＦＥ、弗化ビニリデンＰＶＤＦ等の弗素樹脂、高密度ポリエチレン樹脂、超高分子量ポリエチレン樹脂等を用いることができる。上記の材料は、表面エネルギーが小さく、非粘性で摺動摩擦係数（摺動によって発生する摩擦係数）が他の樹脂に比べて小さく、耐摩耗性に優れ、自己潤滑性を有するため、グリス等の潤滑剤を必要としない。
【００２３】
弾性部材１４０は、接触部材１３０と同様に鍵１１０の長手方向を軸に左右対称に配置されている。また、弾性部材１４０は接触部材１３０に比べて弾性力が弱い。換言すると、弾性部材１４０は接触部材１３０に比べて反発力が小さい。また、換言すると、弾性部材１４０は接触部材１３０に比べてヤング率が小さい。また、換言すると、弾性部材１４０は接触部材１３０に比べて弾性変形しやすい。弾性部材１４０としては、ゴム状又はスポンジ状の材質を用いることができる。より具体的な弾性部材１４０の材料としては、当接部１１３に用いる部材と比較して、低硬度のゴム、低密度のフェルト、低反発のウレタン、又はゲルを用いることができる。また、これらの複数の材料を積層させてもよい。また、弾性部材１４０として、材料自体の弾性力が弱いものだけでなく、材料自体の弾性力は接触部材１３０に比べて強いが、バネ状やメッシュ状の構造をとることで、接触部材１３０を鍵１１０に押しつける方向において、接触部材１３０に比べて弱い弾性力を有する部材を用いることができる。
【００２４】
なお、図２では、弾性部材１４０の端部と接触部材１３０の端部とが一致する（面位置となる）構造、つまり弾性部材１４０が鍵ガイド１２０と接触する面積と摺動面１３３の面積とは同じである構造を例示したが、この構造に限定されない。つまり、弾性部材１４０が鍵ガイド１２０と接触する面積は摺動面１３３の面積よりも大きく、弾性部材１４０の端部が接触部材１３０の端部よりも外側に位置していてもよい。また、弾性部材１４０が鍵ガイド１２０と接触する面積は摺動面１３３の面積よりも小さく、弾性部材１４０の端部が接触部材１３０の端部よりも内側に位置していてもよい。
【００２５】
以上のように、本発明の実施形態１に係る鍵盤装置１０によると、鍵１１０と摺動する接触部材１３０と鍵ガイド１２０との間に接触部材１３０に比べて弾性力が弱い弾性部材１４０が挟持されることで、鍵１１０と鍵ガイド１２０との間隙が異なる場合であっても、略同じ力で接触部材１３０を鍵１１０に押しつけることができる。その結果、押離鍵時の鍵の円滑な動作を確保する鍵盤装置を提供することができる。また、鍵及び鍵ガイドの摺動による摩擦音を抑制する鍵盤装置を提供することができる。また、鍵及び鍵ガイドの寸法ばらつきが鍵の動作及び摩擦音に与える影響を抑制する鍵盤装置を提供することができる。さらに、押離鍵時において、摺動面の面積が同じであることで、鍵１１０と鍵ガイド１２０との間の摩擦力を一定にすることができる。
【００２６】
〈実施形態１の変形例〉
図３乃至図９を用いて、本発明の実施形態１の変形例に係る鍵盤装置の概要を説明する。図３乃至図９では、接触部材１３０及び弾性部材１４０の配置が図２に示す鍵盤装置１０とは異なる例について説明する。
【００２７】
図３は、本発明の実施形態１の変形例１に係る鍵盤装置の鍵及び鍵ガイドの摺動部の拡大側面図（ａ）、及びＡ−Ａ’断面図（ｂ）である。図３に示す鍵盤装置１１は、図２に示す鍵盤装置１０と類似しているが、鍵盤装置１１は接触部材１３０が鍵ガイド１２０と摺動可能に接し、弾性部材１４０が鍵１１０に固定された構造を有する点において鍵盤装置１０とは相違する。つまり、鍵盤装置１１において、摺動面は鍵ガイド１２０と接触部材１３０との間に位置しており、図３（ｂ）に示すように、押鍵によって鍵１１０及び弾性部材１４０と共に接触部材１３０も鍵の搖動方向に移動する。なお、図３（ａ）では、接触部材１３０は鍵１１０の長手方向において鍵ガイド１２０の側端部１２２よりも外側まで配置されているが、接触部材１３０は、接触部材１３０の側端部が鍵ガイド１２０の側端部１２２と同じ位置であってもよく、また、接触部材１３０の側端部が鍵ガイド１２０の側端部１２２よりも内側であってもよい。
【００２８】
以上のように、本発明の実施形態１の変形例１に係る鍵盤装置１１によると、鍵ガイド１２０と接触部材１３０との摺動に不具合が生じた場合に、鍵１１０を交換することで修理が可能である。つまり、修理に要する手間及び時間を軽減することができる。
【００２９】
図４は、本発明の実施形態１の変形例２に係る鍵盤装置の鍵及び鍵ガイドの摺動部の拡大側面図（ａ）、及びＡ−Ａ’断面図（ｂ）である。図４に示す鍵盤装置１２は、図３に示す鍵盤装置１１と類似しているが、鍵盤装置１２は鍵ガイド１２０の形状がＴ字型又はハンマー形状であり、押離鍵時において、鍵ガイド１２０は接触部材１３０の端部とは接触せず、鍵ガイド１２０が接触部材１３０と摺動する領域が図４（ａ）における接触部材１３０のパターン内部に位置する点において鍵盤装置１１とは相違する。
【００３０】
以上のように、本発明の実施形態１の変形例２に係る鍵盤装置１２によると、鍵ガイド１２０は、剥離が発生しやすい接触部材１３０の端部とは接触しないため、接触部材１３０が弾性部材１４０から剥離することを抑制することができる。つまり、鍵ガイド１２０と接触部材１３０との摺動における不具合を抑制することができる。
【００３１】
図５は、本発明の実施形態１の変形例３に係る鍵盤装置の鍵及び鍵ガイドの摺動部の拡大側面図（ａ）、並びにＡ−Ａ’断面図（ｂ）及びＢ−Ｂ’断面図（ｃ）である。図５に示す鍵盤装置１３は、図５（ｃ）に示すように１つの接触部材１３０及び弾性部材１４０が鍵１１０にコの字型（Ｕ字型）に配置されることで図３に示す鍵盤装置１１と類似の鍵盤装置が実現されている。図５（ｃ）では、鍵ガイド１２０の側端部１２２と側端部１２２に対向する接触部材１３１とが接触しておらず、間隙が設けられているが、側端部１２２と接触部材１３１とが接触してもよい。
【００３２】
以上のように、本発明の実施形態１の変形例３に係る鍵盤装置１３によると、１つの接触部材１３０及び弾性部材１４０を鍵１１０に取り付ければよいため、接触部材１３０及び弾性部材１４０の取り付け工程を短縮化することができる。
【００３３】
図６は、本発明の実施形態１の変形例４に係る鍵盤装置の鍵及び鍵ガイドの摺動部の拡大側面図（ａ）、並びにＡ−Ａ’断面図（ｂ）及びＢ−Ｂ’断面図（ｃ）である。図６に示す鍵盤装置１４は、図６（ｃ）に示すように１つの接触部材１３０及び弾性部材１４０が鍵ガイド１２０にコの字型（Ｕ字型）に配置されることで図２に示す鍵盤装置１０と類似の鍵盤装置が実現されている。図６（ｃ）では、接触部材１３０の側端部１３２と側端部１３２に対向する鍵１１５とが接触しておらず、間隙が設けられているが、側端部１３２と鍵１１５とが接触してもよい。
【００３４】
図７は、本発明の実施形態１の変形例５に係る鍵盤装置の鍵及び鍵ガイドの摺動部の拡大側面図（ａ）、並びにＡ−Ａ’断面図（ｂ）及びＢ−Ｂ’断面図（ｃ）である。図７に示す鍵盤装置１５は、図７（ｂ）に示すように１つの接触部材１３０及び弾性部材１４０が鍵ガイド１２０にコの字型（Ｕ字型）に配置されることで図２に示す鍵盤装置１０と実質同一の鍵盤装置が実現されている。
【００３５】
以上のように、本発明の実施形態１の変形例４に係る鍵盤装置１４及び変形例５に係る鍵盤装置１５によると、１つの接触部材１３０及び弾性部材１４０を鍵ガイド１２０に取り付ければよいため、接触部材１３０及び弾性部材１４０の取り付け工程を短縮化することができる。また、凸形状の鍵ガイド１２０に対して接触部材１３０及び弾性部材１４０を取り付けるため、容易に取り付け作業を行うことができる。
【００３６】
図８は、本発明の実施形態１の変形例６に係る鍵盤装置の鍵及び鍵ガイドの摺動部の拡大側面図（ａ）、並びにＡ−Ａ’断面図（ｂ）及びＢ−Ｂ’断面図（ｃ）である。図８に示す鍵盤装置１６は、図６に示す鍵盤装置１４と類似しているが、鍵盤装置１６は、図８（ｃ）に示すように接触部材１３０及び弾性部材１４０が鍵ガイド１２０を囲むように配置され、領域１４１で弾性部材１４０同士が固定されている点において、鍵盤装置１４とは相違する。なお、図８（ｃ）では、領域１４１における弾性部材１４０同士の固定面が鍵１１０の回転移動の軸方向に延在する構造を例示したが、この構造に限定されず、鍵ガイド１２０の表面上に少なくとも弾性部材１４０同士が固定される部分が設けられていればよい。また、接触部材１３０及び弾性部材１４０が一部で二重になるように鍵ガイド１２０の周囲に巻かれていてもよい。つまり、接触部材１３０及び弾性部材１４０の一部が重畳するように、弾性部材１４０が鍵ガイド１２０の周囲に配置されていてもよい。また、接触部材１３０が一部で二重になるように鍵ガイド１２０の周囲に巻かれ、さらに弾性部材１４０が一部で二重になるように接触部材１３０の周囲に巻かれていてもよい。図８（ｃ）では、接触部材１３０の側端部１３２と側端部１３２に対向する鍵１１５とが接触しておらず、間隙が設けられているが、側端部１３２と鍵１１５とが接触してもよい。
【００３７】
以上のように、本発明の実施形態１の変形例６に係る鍵盤装置１６によると、弾性部材１４０同士を固定させることで、弾性部材１４０及び接触部材１３０が鍵ガイド１２０から剥離することを抑制することができる。また、１つの接触部材１３０及び弾性部材１４０を鍵ガイド１２０に取り付ければよいため、接触部材１３０及び弾性部材１４０の取り付け工程を短縮化することができる。また、凸形状の鍵ガイド１２０に対して接触部材１３０及び弾性部材１４０を取り付けるため、容易に取り付け作業を行うことができる。
【００３８】
図９は、本発明の実施形態１の変形例７に係る鍵盤装置の鍵及び鍵ガイドの摺動部の拡大側面図（ａ）、並びにＡ−Ａ’断面図（ｂ）及びＢ−Ｂ’断面図（ｃ）である。図９に示す鍵盤装置１７は、図６に示す鍵盤装置１４と類似しているが、鍵盤装置１７は図９（ｃ）に示すように、水平方向に延在する鍵盤フレーム１００から鉛直方向に延びる鍵ガイド連結部１０５を有しており、隣接する鍵ガイド１２０は共に鍵ガイド連結部１０５に固定され、接触部材１３０及び弾性部材１４０は隣接する鍵ガイド１２０及びそれらの間の鍵ガイド連結部１０５に連続して配置されている点において、鍵盤装置１４とは相違する。なお、図９では、接触部材１３０の側端部１３２と側端部１３２に対向する鍵１１５とが接触しておらず、間隙が設けられているが、側端部１３２と鍵１１５とが接触してもよい。
【００３９】
以上のように、本発明の実施形態１の変形例７に係る鍵盤装置１７によると、１つの接触部材１３０及び弾性部材１４０を複数の鍵ガイド１２０に共通して取り付けることができるため、接触部材１３０及び弾性部材１４０の取り付け工程を短縮化することができる。また、凸形状の鍵ガイド１２０に対して接触部材１３０及び弾性部材１４０を取り付けるため、容易に取り付け作業を行うことができる。
【００４０】
〈実施形態２〉
図１０を用いて、本発明の実施形態２に係る鍵盤装置の概要を説明する。実施形態２では、実施形態１のように、使用する材質によって接触部材１３０に比べて弾性力が弱い弾性部材１４０を実現する構造とは異なり、構造又は形状によって接触部材１３０に比べて弾性力が弱い弾性部材１４０を実現する構造について説明する。なお、本発明の実施形態２に係る鍵盤装置２０の全体構成は図１と同様であるので、ここでは説明を省略し、鍵及び鍵ガイドの摺動部の構造についてのみ以下に詳細を説明する。
【００４１】
［鍵盤装置２０の構成］
図１０は、本発明の実施形態２に係る鍵盤装置の鍵及び鍵ガイドの摺動部の拡大側面図（ａ）、並びにＡ−Ａ’断面図（ｂ）及びＢ−Ｂ’断面図（ｃ）である。図１０に示すように、本発明の実施形態２に係る鍵盤装置２０は、鍵盤フレーム１００と、鍵盤フレーム１００の一部（図１に示す鍵支持部１０１の軸１０２）を支点として、鍵盤フレーム１００に搖動自在に接続された鍵１１０と、鍵盤フレーム１００に固定され、鍵１１０の移動を所定範囲に規制する鍵ガイド１２３と、鍵１１０と鍵ガイド１２０との間に位置する摺動可能な摺動面に対して、鍵１１０の移動の際に摺動可能に接する接触部材１３０と、を有する。ここで、図１０（ｄ）に示すように、鍵ガイド１２３はその一部が弾性変形して鍵１１０の内部に挿入されており、接触部材１３０は鍵ガイド１２３の弾性力によって鍵１１０に押しつけられている。図１０では、接触部材１３０が鍵１１０と摺動し、鍵盤フレーム１００に固定された鍵ガイド１２３の一部が屈曲した形状（例えば、クランク形状）を有する構造について例示する。図１０では、鍵ガイド１２３に接触部材１３０が固定された構造を例示したが、この構造に限定されず、接触部材１３０は鍵１１０に固定された構造であってもよい。
【００４２】
図１０では、図１０（ａ）におけるＢ−Ｂ’断面図において、鍵ガイド１２３が弾性変形していない状態（図１０（ｃ））と鍵ガイド１２３が弾性変形している状態（図１０（ｄ））とを示す。また、図１０（ｂ）におけるＡ−Ａ’断面図の観察位置は、図１０（ｃ）のＣ−Ｃ’の位置に相当する。また、図１０（ｂ）では、離鍵時の状態（左側）と押鍵時の状態（右側）とを示す。また、図１０（ｂ）及び図１０（ｃ）に描かれた各々の部材の位置関係は互いに点線で対応付けられている。図１０（ｃ）に示すように、外力が働いていない状態では、鍵盤装置２０の鍵ガイド１２３は３つの直線部がそれぞれ直角に接続されたクランク形状を有している。鍵盤装置２０に用いる鍵ガイド１２３は、少なくとも一部が押離鍵時の鍵１１０の横ブレや捻じれを抑制することができるだけの剛性を有し、また、少なくとも一部が弾性変形する材質を用いる。
【００４３】
鍵盤装置２０では、鍵ガイド１２３を図１０（ｄ）に示すように弾性変形させて鍵１１０の内部に配置する。図１０（ｄ）に示す鍵ガイド１２３は弾性力によって元の形状に戻ろうとするため、接触部材１３０を鍵１１０に押しつける。これによって、鍵１１０の押離鍵時に鍵１１０は接触部材１３０と摺動する（図１０（ｂ））。ここで、鍵ガイド１２３は、押離鍵時の鍵１１０の横ブレや捻じれを抑制するために、例えば図１０（ｃ）における断面形状において鍵ガイド１２３の重心を含む領域に他の領域に比べて剛性が高い芯を有していてもよい。
【００４４】
以上のように、本発明の実施形態２に係る鍵盤装置２０によると、鍵１１０と摺動する接触部材１３０が弾性変形した鍵ガイド１２３の弾性力によって鍵１１０に押しつけられるため、鍵１１０と鍵ガイド１２３との間隙が異なる場合であっても、略同じ力で接触部材１３０を鍵１１０に押しつけることができる。その結果、押離鍵時の鍵の円滑な動作を確保する鍵盤装置を提供することができる。また、鍵及び鍵ガイドの摺動による摩擦音を抑制する鍵盤装置を提供することができる。また、鍵及び鍵ガイドの寸法ばらつきが鍵の動作及び摩擦音に与える影響を抑制する鍵盤装置を提供することができる。
【００４５】
〈実施形態２の変形例〉
図１１乃至図１３を用いて、本発明の実施形態２の変形例に係る鍵盤装置の概要を説明する。図１１乃至図１３では、鍵１１０、鍵ガイド１２４乃至１２６、及び接触部材１３０の形状や配置が図１０に示す鍵盤装置２０とは異なる例について説明する。
【００４６】
図１１は、本発明の実施形態２の変形例１に係る鍵盤装置の鍵及び鍵ガイドの摺動部の拡大側面図（ａ）、並びにＡ−Ａ’断面図（ｂ）及びＢ−Ｂ’断面図（ｃ）である。図１１に示す鍵盤装置２１は、図１０に示す鍵盤装置２０とは構造が異なり、弾性変形した鍵ガイド１２４による弾性力によって鍵ガイド１２４に固定された接触部材１３０が鍵１１０のリブ１１６、１１７に押しつけられる。図１１では、接触部材１３０がリブ１１６、１１７と摺動し、鍵盤フレーム１００に固定された鍵ガイド１２４が第１鍵ガイド部材１２４−１及び第２鍵ガイド部材１２４−２を含むＴ字型の形状を有する構造について例示する。
【００４７】
図１１では、図１１（ａ）におけるＢ−Ｂ’断面図において、に鍵ガイド１２４が弾性変形していない状態（図１１（ｃ））と鍵ガイド１２４が弾性変形している状態（図１１（ｄ））とを示す。また、図１１（ｂ）におけるＡ−Ａ’断面図の観察位置は、図１１（ｃ）のＣ−Ｃ’の位置に相当する。また、図１１（ｂ）では、離鍵時の状態（左側）と押鍵時の状態（右側）とを示す。また、図１１（ｂ）及び図１１（ｃ）に描かれた各々の部材の位置関係は互いに点線で対応付けられている。図１１（ｃ）に示すように、リブ１１６、１１７は鍵１１０の延在方向に異なる位置に配置され、共通する鍵ガイド１２４に設けられた接触部材１３０と接触する。図１１では、鍵ガイド１２４がＴ字型を有する構造を例示したが、この構造に限定されず、少なくとも鍵１１０の延在方向に異なる位置に配置された２つ以上のリブ又は鍵の一部が、共通する鍵ガイドに設けられた接触部材と接触する構造であればよい。鍵盤装置２１に用いる鍵ガイド１２４は、少なくとも一部が押離鍵時の鍵１１０の横ブレや捻じれを抑制することができるだけの剛性を有し、また、少なくとも一部が弾性変形する材質を用いる。この場合、剛性を有する部材を鍵ガイドと表現してもよく、弾性変形する部材を弾性部材と表現してもよい。
【００４８】
鍵盤装置２１では、鍵ガイド１２４を図１１（ｄ）に示すように弾性変形させて鍵１１０の内部に配置する。図１１（ｂ）に示すように、鍵ガイド１２４は鍵盤フレーム１００に固定されているため、図１１（ｄ）に示す鍵ガイド１２４の一部が捻じれるように弾性変形する。図１１（ｄ）に示す鍵ガイド１２４は弾性力によって元の形状に戻ろうとするため、鍵ガイド１２４は接触部材１３０をリブ１１６、１１７に押しつける。これによって、鍵１１０の押離鍵時に鍵１１０は接触部材１３０に摺動する（図１０（ｂ））。また、図１１（ｄ）では、第１鍵ガイド部材１２４−１と第２鍵ガイド部材１２４−２との接続部付近が弾性変形する構成を例示したが、鍵ガイド１２４全体が弾性変形してもよい。また、第２鍵ガイド部材１２４−２自体が捻じれるように弾性変形してもよい。
【００４９】
図１２は、本発明の実施形態２の変形例２に係る鍵盤装置の鍵及び鍵ガイドの摺動部の拡大側面図（ａ）、並びにＡ−Ａ’断面図（ｂ）及びＢ−Ｂ’断面図（ｃ）である。図１２に示す鍵盤装置２２は、図１１に示す鍵盤装置２１と類似しているが、鍵盤装置２２は押離鍵時においてリブ１１６、１１７が接触部材１３０と摺動しない領域の鍵ガイド１２５はＴ字型ではなく平板状になっている点において、鍵盤装置２１とは相違する。
【００５０】
図１３は、本発明の実施形態２の変形例３に係る鍵盤装置の鍵及び鍵ガイドの摺動部の拡大側面図（ａ）、並びにＡ−Ａ’断面図（ｂ）及びＢ−Ｂ’断面図（ｃ）である。図１３に示す鍵盤装置２３は、図１２に示す鍵盤装置２２と類似しているが、鍵盤装置２３は鍵ガイド１２６の形状が鍵盤装置２２の鍵ガイド１２５の形状と相違する。鍵盤装置２３の鍵ガイド１２６は、図１３（ｃ）に示すように、リブ１１６とリブ１１７との間に位置し、鍵盤フレーム１００に固定された支柱１２６-１と、周囲に接触部材１３０が設けられ、押離鍵時に周囲の接触部材１３０とリブ１１６、１１７とが摺動する当接部１２６-２と、を有している。
【００５１】
ここで、図１１乃至図１３において、鍵ガイド１２４乃至１２６は、押離鍵時の鍵１１０の横ブレや捻じれを抑制するために、鍵ガイド１２４乃至１２６の一部の領域に他の領域に比べて剛性が高い芯を有していてもよい。この場合、剛性が高い芯を鍵ガイドと表現してもよく、それ以外の弾性変形箇所を弾性部材と表現してもよい。
【００５２】
以上のように、本発明の実施形態２の変形例に係る鍵盤装置２１乃至２３によると、弾性変形した鍵ガイド１２４乃至１２６の弾性力によって、鍵ガイド１２４乃至１２６に設けられた接触部材１３０がリブ１１６、１１７に押しつけられる。したがって、鍵１１０と鍵ガイド１２４乃至１２６との間隙が異なる場合であっても、略同じ力で接触部材１３０がリブ１１６、１１７に押しつけられる。その結果、押離鍵時の鍵の円滑な動作を確保する鍵盤装置を提供することができる。また、鍵及び鍵ガイドの摺動による摩擦音を抑制する鍵盤装置を提供することができる。また、鍵及び鍵ガイドの寸法ばらつきが鍵の動作及び摩擦音に与える影響を抑制する鍵盤装置を提供することができる。また、鍵ガイドの形状を変更することで、接触部材１３０がリブ１１６、１１７に押しつけられる力が変化するため、所望の摩擦力でリブ１１６、１１７と接触部材１３０とを摺動させることができる。
【００５３】
〈実施形態３〉
図１４を用いて、本発明の実施形態３に係る鍵盤装置の概要を説明する。実施形態３では、実施形態１のように、使用する材質によって接触部材１３０に比べて弾性力が弱い弾性部材１４０を実現する構造とは異なり、構造又は形状によって接触部材１３０に比べて弾性力が弱い弾性部材１４０を実現する構造について説明する。また、実施形態２とは異なり、接触部材と弾性部材とが摺動する構造について説明する。なお、本発明の実施形態３に係る鍵盤装置３０の全体構成は図１と同様であるので、ここでは説明を省略し、鍵及び鍵ガイドの摺動部の構造についてのみ以下に詳細を説明する。
【００５４】
［鍵盤装置３０の構成］
図１４は、本発明の実施形態３に係る鍵盤装置の鍵及び鍵ガイドの摺動部の拡大側面図（ａ）、並びにＡ−Ａ’断面図（ｂ）及びＢ−Ｂ’断面図（ｃ）である。図１４に示すように、本発明の実施形態３に係る鍵盤装置３０は、鍵盤フレーム１００と、鍵盤フレーム１００の一部（図１に示す鍵支持部１０１の軸１０２）を支点として、鍵盤フレーム１００に搖動自在に接続された鍵１１０と、鍵盤フレーム１００に固定され、鍵１１０の移動を所定範囲に規制する鍵ガイド１２７と、鍵１１０に固定され、弾性変形する弾性部材１４２と、鍵ガイド１２７に固定され、弾性部材１４２と摺動する接触部材１３０と、を有する。つまり、鍵盤装置３０において、摺動面は接触部材１３０と弾性部材１４２との間に設けられている。ここで、弾性部材１４２はスリット１４３が設けられることで弾性を有している。図１４では、鍵１１０とは別途に弾性部材１４２を設けた構造を例示したが、この構造に限定されず、鍵１１０の内部にスリットを設けることで、鍵１１０の内部構造を利用した弾性部材を設けてもよい。
【００５５】
以上のように、本発明の実施形態３に係る鍵盤装置３０によると、鍵１１０内部に設けられた弾性部材１４２が鍵ガイド１２７に設けられた接触部材１３０に押しつけられるため、鍵１１０と鍵ガイド１２７との間隙が異なる場合であっても、略同じ力で弾性部材１４２を接触部材１３０に押しつけることができる。その結果、押離鍵時の鍵の円滑な動作を確保する鍵盤装置を提供することができる。また、鍵及び鍵ガイドの摺動による摩擦音を抑制する鍵盤装置を提供することができる。また、鍵及び鍵ガイドの寸法ばらつきが鍵の動作及び摩擦音に与える影響を抑制する鍵盤装置を提供することができる。
【００５６】
〈実施形態３の変形例〉
図１５を用いて、本発明の実施形態３の変形例に係る鍵盤装置の概要を説明する。図１５では、鍵ガイド１２８にスリット１２９が設けられ、鍵ガイド１２８自体が弾性変形する構造について説明する。
【００５７】
図１５は、本発明の実施形態３の変形例１に係る鍵盤装置の鍵及び鍵ガイドの摺動部の拡大側面図（ａ）、並びにＡ−Ａ’断面図（ｂ）及びＢ−Ｂ’断面図（ｃ）である。図１５に示す鍵盤装置３１は、鍵ガイド１２８の中央部にスリット１２９が設けられている。押離鍵時において、鍵ガイド１２８はスリット１２９によって弾性変形しながら接触部材１３０と摺動する。図１５では、スリット１２９が１つ設けられた構造を例示したが、この構造に限定されず、スリットが複数設けられていてもよい。ただし、スリットを複数設ける場合は、スリットが鍵１１０の長手方向を軸に左右対称に設けられていることが好ましい。そのような構造とすることで、鍵ガイド１２８自体が弾性変形しても鍵１１０の移動を所定の範囲に規制することができる。図１５に示す構造の場合、スリット１２９を介して左右に位置する鍵ガイド１２８の各々を弾性部材ということもできる。また、左右の鍵ガイド１２８を合わせて鍵ガイドということもできる。図１５では、接触部材１３０が鍵１１０に固定されているが、接触部材１３０は鍵ガイド１２８に固定されていてもよい。
【００５８】
以上のように、本発明の実施形態３の変形例に係る鍵盤装置３１によると、スリット１２９によって弾性変形した鍵ガイド１２８が接触部材１３０に押しつけられるため、鍵１１０と鍵ガイド１２８との間隙が異なる場合であっても、略同じ力で鍵ガイド１２８を接触部材１３０に押しつけることができる。その結果、押離鍵時の鍵の円滑な動作を確保する鍵盤装置を提供することができる。また、鍵及び鍵ガイドの摺動による摩擦音を抑制する鍵盤装置を提供することができる。また、鍵及び鍵ガイドの寸法ばらつきが鍵の動作及び摩擦音に与える影響を抑制する鍵盤装置を提供することができる。
【００５９】
なお、本発明は上記の実施形態に限られたものではなく、趣旨を逸脱しない範囲で適宜変更することが可能である。
【符号の説明】
【００６０】
１０、２０、３０：鍵盤装置、    １００：鍵盤フレーム、    １０１：鍵支持部、    １０２、１０４：軸、    １０３：ハンマー支持部、    １０５：鍵ガイド連結部、    １１０、１１５：鍵、    １１１：前端部、    １１２：駆動部、    １１３：当接部、    １１４：開口端部、    １１６、１１７：リブ、    １２０、１２３、１２４、１２５、１２６、１２７、１２８：鍵ガイド、    １２１：レール、    １２２、１３２：側端部、    １２９、１４３：スリット、    １３０、１３１：接触部材、    １３３：摺動面、    １４０、１４２：弾性部材、    １５０：ハンマー、    １５１：脚部、    １５２：ハンマー基部、    １５３：連結棒、    １５４：質量体、    １５５：上限ストッパ、    １５６：下限ストッパ、    １５７：衝撃緩和部材、    １６０：スイッチ、    １６１：基板、    １６２：ボス
【図１】
2016114677.tif 000003
【図２】
2016114677.tif 000004
【図３】
2016114677.tif 000005
【図４】
2016114677.tif 000006
【図５】
2016114677.tif 000007
【図６】
2016114677.tif 000008
【図７】
2016114677.tif 000009
【図８】
2016114677.tif 000010
【図９】
2016114677.tif 000011
【図１０】
2016114677.tif 000012
【図１１】
2016114677.tif 000013
【図１２】
2016114677.tif 000014
【図１３】
2016114677.tif 000015
【図１４】
2016114677.tif 000016
【図１５】
2016114677.tif 000017